(57)【要約】【課題】様々なサイズの窓ガラスに容易に設置することができ、比較的安価で暖房効率の良い伸縮性窓面ヒーターを提供する。【解決手段】本発明の伸縮性窓面ヒーターは、伸縮自在の本体ケース内に２本のヒーターが納められ、第一のヒーター１に接続された第一のコード７の外側を、第二のヒーター２に接続された第二のコード（以下、カールコードと称する）８が螺旋状に取り巻き、本体ケースの伸張時には、第一のコード７がカールコード８の螺旋部９から引き出され、本体ケースの収縮時には、カールコード８の螺旋部９が伸びて該螺旋部９に第一のコード７が納められることを特徴としている。【選択図】図４
2007103022.tif 000002
【特許請求の範囲】
【請求項１】
伸縮自在の本体ケース内に２本のヒーターが納められ、第一のヒーターに接続された第一のコードの外側を、第二のヒーターに接続された第二のコード（カールコード）が螺旋状に取り巻き、本体ケースの伸張時には、第一のコードが第二のコードの螺旋部から引き出され、本体ケースの収縮時には、第二のコードの螺旋部が伸びて該螺旋部に第一のコードが納められる、ことを特徴とする伸縮性窓面ヒーター。
【請求項２】
ヒーターが、炭素繊維で形成されている請求項１に記載の伸縮性窓面ヒーター。
【請求項３】
電源コードを２分岐して第一、第二のコードとし、それぞれに第一、第二のヒーターが接続されている請求項１に記載の伸縮性窓面ヒーター。
【発明の詳細な説明】
【技術分野】
【０００１】
本発明は、窓ガラス面の結露防止用ヒーターに係り、特には様々な大きさの窓ガラスにフィット可能な伸縮性窓面ヒーターに関する。
【背景技術】
【０００２】
外気温の低い冬季、冷却された窓ガラスに接する室内側の空気が露点以下になると、窓ガラス面に結露が発生する。
【０００３】
従来、窓ガラス面を結露のないクリーンな状態に保つために、窓ガラスに結露が生じるとその都度拭き取るか、または窓際に暖房装置を設置し、窓ガラスの温度が露点以下にならないように暖房して結露を防止している。
【発明の開示】
【発明が解決しようとする課題】
【０００４】
これらの方法は、前者は作業が煩雑であり、後者は暖房装置を窓際に設置するため、暖房効率が悪いという問題があった。
また、熱線入りガラスを使用して窓ガラスの温度を上げ、結露を防止する方法もあるが、この方法は設備コストが極めて高くつくため、一般的ではない。
【０００５】
本発明は、上記事情に鑑みてなされたものであり、様々なサイズの窓ガラスに容易に設置することができ、比較的安価で暖房効率の良い伸縮性窓面ヒーターを提供することを課題としている。
【課題を解決するための手段】
【０００６】
本発明の伸縮性窓面ヒーターは、伸縮自在の本体ケース内に２本のヒーターが納められ、第一のヒーターに接続された第一のコードの外側を、第二のヒーターに接続された第二のコード（以下、カールコードと称する）が螺旋状に取り巻き、本体ケースの伸張時には、第一のコードがカールコードの螺旋部から引き出され、本体ケースの収縮時には、カールコードの螺旋部が伸びて該螺旋部に第一のコードが納められることを特徴としている。
【０００７】
前記ヒーターは、炭素繊維製とするのが好ましい。電源コードを２分岐して第一、第二のコードとし、それぞれに第一、第二のヒーターに接続されている。
【発明の効果】
【０００８】
本発明の伸縮性窓面ヒーターは、窓ガラスの大きさに合わせて伸縮自在なため、サイズの異なるヒーターを幾つも用意する必要はなく、また、構造が簡単なため比較的低コストで設置することができ、窓ガラスの結露を防止することができる。
【発明を実施するための最良の形態】
【０００９】
以下、図を用いて本発明をさらに詳細に説明する。
図１は、本発明の伸縮性窓面ヒーターの本体ケースを示す外観平面図であり、図２は、図１の本体ケースから外装を取り去った平面図であり、本体ケースの伸縮機構が示されている。図３は、本体ケースに収められている、一例として挙げたヒーターの回路図である。
【００１０】
第一のヒーター１及び第二のヒーター２の端部にはそれぞれ固定部３，４が設けられ、互いにスルー部５，６を介してスライドさせることができ、本体ケースの伸縮を可能としている。なお、第一のヒーター１の固定部３とスルー部６は一体的に設けられ、同様に第二のヒーター２の固定部４とスルー部５も一体的に設けられている。
【００１１】
このため、本体ケースは、固定部３がスルー部５（または固定部４がスルー部６）に当接するまで伸張させることができ、収縮させる場合には、第一のヒーター１の頭部に第二のヒーター２の固定部４（または第二のヒーター２の頭部に第一のヒーター１の固定部３）が当接するまで収縮させることができる。
【００１２】
本体ケース内には、例えば図３に示すような第一、第二のヒーター１，２が収められている。ヒーター線には、通常のニクロム線を使用することもできるが、炭素繊維を用いるのが好ましい。その理由は、ニクロム線に比べ炭素繊維の電気抵抗が高いことにより、単位容積当りの発熱温度を低くすることができる。また、炭素繊維は腐食が少ないため長期間安定した発熱をすることができることによる。
【００１３】
本発明の伸縮性窓面ヒーターは、窓ガラスの幅サイズに合わせて伸縮させることができる。このとき本体ケースの伸縮に合わせて、第一のヒーター１の第一のコード７は、カールコード８の螺旋部９に収容され、または引き出される。この様子を図４に示した。
【００１４】
図４は、ヒーター線に電気を供給する第一、第二のコード状態を示す概略説明図であり、本体ケースの伸張時には、第一のコード７は、カールコード８の螺旋部９から引き出され、本体ケースの収縮時には、第一のコード７は、カールコード８の螺旋部９に収容される。なお、図４において、コード７とカールコード８に接続されたヒーター線は図示を省略されている。
【００１５】
電源コード10は、分岐部11で第一のコード７とカールコード８に分岐され、第一と第二のヒーター１，２に電気を供給する。
なお、第一のコード７の螺旋部９からの引出や収納が滑らかに行われるように、螺旋部９に収容される側のコード、すなわち第一のコード７には、適度の可撓性と剛性を併せ持たせるのが好ましい。
【００１６】
本発明の伸縮性窓面ヒーターは、一般の家庭用電源で、あるいは電池やバッテリーでも発熱させることができる。
【００１７】
本発明の伸縮性窓面ヒーターは、窓ガラスの結露防止以外に、保温もしくは加熱を要する様々な対象に利用することができる。特に、加熱部分の長さが対象によって異なるようなケースに好適に利用することができる。
【実施例１】
【００１８】
図１に示す本体ケースに炭素繊維製のヒーター線を収め、伸縮性窓面ヒーターを作製した。この伸縮性窓面ヒーターは、本体ケースのスルー部でスライドさせることにより、その外寸を、窓ガラスの寸法に合わせて1,200〜1,900mmの範囲で伸縮できるようにした。これにより、寸法がこの範囲内にある窓ガラスの全てにフィットさせることができる。
図３にヒーター線の配線・回路図を示した。第一のヒーター１と第二のヒーター２の容量は、いずれも60wである。
この伸縮性窓面ヒーターをサイズ1,200〜1,800mm の窓ガラスに設置し、通電したところ、ガラス面を結露温度以上に保持することができた。
【産業上の利用可能性】
【００１９】
本発明の伸縮性窓面ヒーターは、加熱部分の長さが対象によって異なるような様々な用途に供することができる。
【図面の簡単な説明】
【００２０】
【図１】本発明の伸縮性窓面ヒーターの一例を示す外観平面図である。
【図２】図１の本体ケースから外装を取り去った、伸縮機構を示す平面図である。
【図３】本体ケースに収められている、一例として挙げたヒーターの配線・回路図である。
【図４】ヒーター線に電気を供給する第一、第二のコードの状態を示す概略説明図である。
【符号の説明】
【００２１】
１……第一のヒーター、
２……第二のヒーター、
３，４…固定部、
５，６…スルー部、
７……第一のコード、
８……第二のコード（カールコード）
９……螺旋部。
10……電源コード、
11……分岐部。
【図１】
2007103022.tif 000003
【図２】
2007103022.tif 000004
【図３】
2007103022.tif 000005
【図４】
2007103022.tif 000006